(57)【要約】【課題】花を最初に活ける際及び刺し直しする際に生けやすく、且つ花を刺し直すことなく花の向きを変えられる生花整形器を提供すること。【解決手段】  盤１の上面に収容穴８をあけ、収容穴に一つ又は複数の駒２を抜き差し可能に挿入し、収容穴内での駒の向きを段階的又は無段階的に変更可能な形状に収容穴と駒を形成し、花を刺す下窄まりの主穴５を駒の上面にあけ、収容穴内の駒と盤を一体化する拘束手段１２を有する活花整形器。収容穴に一つの駒を抜き差し可能且つ回転可能に挿入し、平面視円形状に収容穴と駒を形成する。収容穴に複数の駒を抜き差し可能に挿入し、複数の駒を収容穴内に挿入することによって収容穴内での駒の向きを固定すると共に収容穴内での駒の並べ方に複数の組み合わせが成立する条件を満足する形状に収容穴と駒を形成する。【選択図】      図１
2007159853.tif 000002
【特許請求の範囲】
【請求項１】
盤（１）の上面に収容穴（８）をあけ、収容穴（８）に対して一つ又は複数の駒（２）を抜き差し可能に挿入すると共に、収容穴（８）内での駒（２）の向きを段階的又は無段階的に変更可能な形状に収容穴（８）と駒（２）を形成し、花を刺す下窄まりの主穴（５）を駒（２）の上面にあけ、収容穴（８）内の駒（２）と盤（１）を一体化する拘束手段（１２）を有することを特徴とする生花整形器。
【請求項２】
盤（１）の上面に収容穴（８）を複数あけ、各収容穴（８）に対して一つの駒（２）を抜き差し可能に且つ回転可能に挿入すると共に、
各収容穴（８）内での駒（２）の向きを無段階的に変更するために、平面視円形状に収容穴（８）及び駒（２）を形成し、
拘束手段（１２）は収容穴（８）内の駒（２）と盤（１）を一体化することによって収容穴（８）内の駒（２）を回転不能に保持して駒（２）の向きを固定することを特徴とする特徴とする請求項１記載の生花整形器。
【請求項３】
拘束手段（１２）は、盤（１）の周囲に沿って凹溝（１３）を形成し、凹溝（１３）の一部には収容穴（８）と通じる開口（１４）を形成し、各収容穴（８）に挿入した駒（２）が局部的に開口（１４）から凹溝（１３）に食み出し、局部的に食み出した全ての駒（２）を収容穴（８）の内面に押し付ける伸縮自在な駒止バンド（３）を、凹溝（１３）の周囲に巻いたものであることを特徴とする請求項２記載の生花整形器。
【請求項４】
盤（１）の上面に収容穴（８）を一つあけ、収容穴（８）に対して複数の駒（２）を抜き差し可能に挿入すると共に、
収容穴（８）内での駒（２）の向きを段階的に変更するために、複数の駒（２）を収容穴（８）内に挿入することによって収容穴（８）内での駒（２）の向きを固定すると共に収容穴（８）内での駒（２）の並べ方に複数の組み合わせが成立する条件を満足する形状に収容穴（８）と駒（２）を形成したものであることを特徴とする請求項１記載の生花整形器。
【請求項５】
拘束手段（１２）は、盤（１）の周囲に沿って凹溝（１３）を形成し、凹溝（１３）には収容穴（８）と通じる開口（１４）を周方向に間隔をあけて形成し、収容穴（８）に挿入した複数の駒（２）が局部的に開口（１４）から凹溝（１３）に食み出し、局部的に食み出した駒（２）を押し込んで全ての駒（２）を一体化する伸縮自在な駒止バンド（３）を、凹溝（１３）の周囲に巻いたものであることを特徴とする請求項４記載の生花整形器。
【請求項６】
盤（１）の周囲を覆う化粧枠（４）を盤（１）の上から被せ、化粧枠（４）の上部の内鍔（２０）を盤（１）の上面外周部に引っ掛け、化粧枠の下部の複数個所に緊張した状態で掛け渡した盤受バンド（１８）によって、盤（１）の底面を支持して一体化することを特徴とする請求項３又は５記載の生花整形器。
【請求項７】
盤（１）の上面から駒（２）の上部を突出してあることを特徴とする請求項１、２、３、４、５又は６記載の生花整形器。
【請求項８】
花を刺すための下窄まりの補助穴（１０）を盤（１）の上面にあけてあることを特徴とする請求項１、２、３、４、５、６又は７記載の生花整形器。
【請求項９】
主穴（５）のうち少なくとも一つを鉛直方向に対して傾斜してあることを特徴とする請求項１、２、３、４、５、６、７又は８記載の生花整形器。
【請求項１０】
主穴（５）のうち少なくとも一つを長穴としてあることを特徴とする請求項１、２、３、４、５、６、７、８又は９記載の生花整形器。
【発明の詳細な説明】
【技術分野】
【０００１】
本発明は花や樹木など（花と称する）を生けるのに用いる剣山と同様の役割を果たす生花整形器に関する。
【背景技術】
【０００２】
すべて改革改善実行の時代である。日本古来の文化として発展してきた華道に用いられる剣山もその例外ではなく、剣山という従来からの定型物にとらわれることなく、活け方の自由化及び効率化に適した生花整形器の開発が望まれている。活け方には各種の流派があり、それぞれの歴史と共に特徴がある。従って、単に生花を生ける道具として生花整形器を用いるのではなく、各流派による基本的技法や理念を、子供を含めた初心者に理解させるという役割を生花整形器が担えれば望ましい。例えば流派によっては、伝統的な生花正風体では、人・天・地になぞらえる三本の役枝、真・副・体により構成され、現代的な感覚を重視する生花新風体では、陰・陽からなる二つの役枝と作品効果を高める第三枝で構成される。また、これらの役枝以外のあしらいと言われる補助的なものを用いることもある。そして役枝やあしらいはその刺し位置がある程度決まっているのであるが、従来の剣山は多数本の針の中から刺し位置に適した針を選択しなければならず、その選択が熟練者以外には分かり難かった。
【０００３】
また、生花整形器は花を活けた状態で花器内の水に漬けて使用するものであり、生花がみずみずしい生気を保ち続けるには、きれいな水が必要であり、従って、毎日、花器の水を交換することが望ましい。
【０００４】
ところが、水の交換作業中に、生花に触れると、活けられた花の角度が変わってしまうことがある。生花は見る角度を計算し、全体の形を充分に考慮して活けられたものであるので、花の角度が変われば、作品本来の意図が崩れる。かといって、従来の剣山の針が２ｃｍ程度と短く形成されていることから、この短い針に斜めに切った花の茎などを刺し直して作品本来の意図に修正するには、熟練した高度な技能が要求される。なお、刺し直す場合に限らず、最初に活ける際であっても剣山の場合には、針に刺す技能が出来栄えを大きく左右し、刺した後に角度を修正することは無理である。従って花を刺し直すことなく花の向きを変えられれば使い勝手が向上する。また、修正する際には花の向きを３６０度微調整できることが望ましいが、段階的に例えば９０度毎に調整できるものであっても使い勝手は向上する。
【発明の開示】
【発明が解決しようとする課題】
【０００５】
本発明は上記実情の大半を考慮して創作されたもので、その共通の目的とするところは、花を最初に活ける際及び刺し直しする際に生けやすく、且つ花を刺し直すことなく花の向きを変えられる生花整形器を提供することにある。
【０００６】
本発明のうち請求項２に関連する発明の固有の目的とするところは、少なくとも役枝と言われるメインの花の刺し位置が明確に分かり、且つ花の向きの微調整も容易な生花整形器を提供することにある。
【０００７】
本発明のうち請求項４に関連する発明の固有の目的とするところは、花の向きを段階的に変えられる生花整形器を提供することにある。
【課題を解決するための手段】
【０００８】
請求項１の発明は、盤の上面に収容穴をあけ、収容穴に対して一つ又は複数の駒を抜き差し可能に挿入すると共に、収容穴内での駒の向きを段階的又は無段階的に変更可能な形状に収容穴と駒を形成し、花を刺す下窄まりの主穴を駒の上面にあけ、収容穴内の駒と盤を一体化する拘束手段を有することを特徴とする。
【０００９】
請求項１の発明の下位概念としての請求項２の発明は、盤の上面に収容穴を複数あけ、各収容穴に対して一つの駒を抜き差し可能に且つ回転可能に挿入すると共に、各収容穴内での駒の向きを無段階的に変更するために、平面視円形状に収容穴及び駒を形成し、拘束手段は収容穴内の駒と盤を一体化することによって収容穴内の駒を回転不能に保持して駒の向きを固定することを特徴とする。
【００１０】
請求項２の発明に用いる拘束手段の一例としては、請求項３の発明のように、盤の周囲に沿って凹溝を形成し、凹溝の一部には収容穴と通じる開口を形成し、各収容穴に挿入した駒が局部的に開口から凹溝に食み出し、局部的に食み出した全ての駒を収容穴の内面に押し付ける伸縮自在な駒止バンドを、凹溝の周囲に巻いたものが挙げられる。
【００１１】
請求項１の発明の下位概念としての請求項４の発明は、盤の上面に収容穴を一つあけ、収容穴に対して複数の駒を抜き差し可能に挿入すると共に、収容穴内での駒の向きを段階的に変更するために、複数の駒を収容穴内に挿入することによって収容穴内での駒の向きを固定すると共に収容穴内での駒の並べ方に複数の組み合わせが成立する条件を満足する形状に収容穴と駒を形成したものであることを特徴とする。
【００１２】
上記条件を満足する形状の一例としては、収容穴及び駒を矩形にすると共に、駒を収容穴の９等分の大きさとするものが挙げられる。
【００１３】
請求項４の発明に用いる拘束手段の一例としては、請求項５の発明のように、盤の周囲に沿って凹溝を形成し、凹溝には収容穴と通じる開口を周方向に間隔をあけて形成し、収容穴に挿入した複数の駒が局部的に開口から凹溝に食み出し、局部的に食み出した駒を押し込んで全ての駒を一体化する伸縮自在な駒止バンドを、凹溝の周囲に巻いたものが挙げられる。
【００１４】
凹溝や駒止めバンドが見えると体裁が悪いので、請求項６の発明のように、盤の周囲を覆う化粧枠を盤の上から被せ、化粧枠の上部の内鍔を盤の上面外周部に引っ掛け、化粧枠の下部の複数個所に緊張した状態で掛け渡した盤受バンドによって、盤の底面を支持して一体化するあることが望ましい。
【００１５】
駒は盤の上面と面一、又は沈んでいてもよいが、駒を指で摘んで駒の向きを操作しやすくするには、請求項７の発明のように、盤の上面から駒の上部を突出してあることが望ましい。
【００１６】
駒の主穴に生花のメインとなる役枝を刺すことにすれば、あしらい等のサブを刺す穴を設けてあることが望ましく、それには請求項８の発明のように、花を刺すための下窄まりの補助穴を盤の上面にあけてあればよい。
【００１７】
花の傾き角度は、主穴の深さ方向に影響するが、傾けて活けるには、請求項９の発明のように、主穴のうち少なくとも一つを鉛直方向に対して傾斜していればよい。
【００１８】
また、主穴に刺す花の傾き角度を主穴の形状によって調整するには、請求項１０の発明のように主穴のうち少なくとも一つを長穴としてもよい。
【００１９】
盤と駒の材質は問わない。従って、例えばプラスチックでも良いが、主穴や補助穴に刺す花の切り口に水を浸透させやすくするには、盤と駒を木製とし、重りを盤に着脱可能に止めてあることが望ましい。また、このようにすれば、重りに木以外の材料を用いることができ、活けた花を傷めることなく、水中に沈めて安定させることができる。なお、花と同質の材料である木製の盤と駒を用いているので、主穴等に刺した花を傷めにくくなり、また、その吸水性によって花をみずみずしくできる。
【発明の効果】
【００２０】
請求項１の発明は、駒の主穴が下窄まりなので、花を主穴に上から突き刺す簡単な操作だけで、花の下端部が主穴に拘束されて活けられる。従って、花を最初に活ける際及び刺し直す際に活けやすい。また、収容穴内での駒の向きを段階的又は無段階的に変更可能なので、活けた後からでも刺し直すことなく駒の向きを変えるだけで花の向きを変えられる。さらに、盤と駒が拘束手段によって一体化するので、刺した花が安定する。なお、駒を抜き差し可能にしてあるので、盤の収容穴の底面や、駒自体を洗いやすい。
【００２１】
請求項２の発明は、収容穴及び駒を平面視円形状としたので、駒が収容穴内で回転可能となり、活けた後からでも駒を回して生花の向きや角度を無段階で自由に調整できる。従って、水を交換する際に、花に触れて角度が変わっても駒を動かすだけで修正できるので、水の交換作業をなんら気兼ねなくでき、花をみずみずしい状態で長期に亘って維持できる。そして、盤に対する駒の収容位置を予め各流派に合わせて形成すれば、役枝の刺し位置も明確となり、活けやすくなる。
【００２２】
請求項３の発明は、駒止バンドを凹溝に嵌めるだけで駒と盤を一体化でき、しかも駒の向きをも固定できるので、操作性に優れている。
【００２３】
請求項４の発明は、収容穴内での駒の向きを段階的に変更できるので、花の向きをとにかく変えたいと思った場合にこれに応えることができる。また、収容穴内での駒の並べ方に複数の組み合わせがあるので、花を刺した駒を所望の位置に動かすこともでき、活け方の多様化が図られる。
【００２４】
請求項５の発明は、駒止バンドを凹溝に嵌めるだけで駒と盤を一体化できるので、操作性に優れている。
【００２５】
請求項６の発明は化粧枠によって凹溝及び駒止めバンドが隠れ、体裁が良い。また、盤受バンドを用いて一体化するので、ネジ等で一体化するよりも盤が傷みにくく、取り付け及び取り外しの作業を迅速に行える。
【００２６】
請求項７の発明は、盤から突出している部分を摘んで駒の向きを変えられるので、主穴に花を刺した後の花の角度調整が容易となる。この構造は駒が収容穴内で回転する場合には特に有用である。
【００２７】
請求項８の発明は、主穴と補助穴によって、役枝とあしらい等の刺し位置を明確に把握しながら活けることができる。
【００２８】
請求項９の発明は、傾いている主穴に花を刺すだけで、容易に花を傾けて活けられる。
【００２９】
請求項１０の発明は、長穴の長さ範囲で花を傾けたり鉛直に立てたりして自由に活けることができる。また、長穴が長いほど、花を大きく傾けて活けられるし、その長穴の範囲であれば任意箇所に花を刺すこともできるし、さらには一つの長穴に複数の花を活けることも可能となる。
【発明を実施するための最良の形態】
【００３０】
本発明の生花整形器の第一例は図１、図２に示すように、円形の厚肉の盤１と、背の低い円柱状の複数の駒２と、駒２の向きを固定する駒止バンド３と、盤１の底に止める重り４とから構成してある。
【００３１】
駒２は木製で図３、図４に示すように上面の中央部に、生花のメインとなる役枝を刺す下窄まりのテーパー状の主穴５をあけ、周囲には鉛直方向に沿って平面視円弧状に窪んだ指掛け溝６を形成してある。図３の駒２と図４の駒２の違いは、主穴５の深さ方向であって、図３に示すように鉛直方向であっても良いし、図４に示すように鉛直方向に対して傾斜していてもよい。そして、主穴５の傾斜角度によっては図６に示すように駒２の上面から周囲に向かって貫通する形態となる。また、主穴５のテーパーの角度は、穴の深さ方向に対して（図３では鉛直方向に対して）１５°〜２５°、望ましくは１８°〜２０°傾ける。１５°〜２５°の範囲外であれば、穴が広すぎたり狭すぎたりして花を差し込みにくくなる。また、活ける花が細い場合には、１０°〜２０°が望ましい。主穴５の直径は１５ｍｍ前後としてある。図３に示すように駒２の底面の一部には周囲から主穴５に通じる連絡路７を凹ませて形成してある。駒２は、指掛け溝６と連絡路７を予め形成して準備しておけば、主穴５の向きを顧客の注文に応じて形成できる便利さがある。
【００３２】
盤１は木製で図１、図５又は図６に示すように、その上面に駒２を上方から挿入する収容穴８を３個同心円状に１２０度間隔であけ、収容穴８に駒２を回転可能に且つ出し入れ可能に遊びをもって収容してある。収容穴８と駒２がいずれも平面視円形であるので、収容穴８内での駒２の向きを３６０度に亘って無段階で変更できる。収容穴８に駒２を入れてあっても指で摘んで駒２の向きを変えられるように、駒２の上部を盤１の上に約８ｍｍ程突出させてある。また、収容穴８の底部中央には小径の貫通穴９をあけてある。盤１の上面には、生花のサブとなるあしらい等を刺す下窄まりのテーパー状の補助穴１０を底に貫通して形成してある。補助穴１０は、盤１の中心部に１個と、収容穴８よりも外周側に同心円状に３個あけてある。図面では鉛直に補助穴１０をあけてあるが傾斜していても良い。補助穴１０は、直径１０ｍｍ前後としてある。盤１の底面には、外周から収容穴８の貫通穴９及び補助穴１０に通じる溝状の導通路１１を凹ませて形成してある。主穴５は、連絡路７、指掛け溝６、貫通穴９或いは導通路１１に通じているので、生花整形器を水中に沈めた場合に、駒２の主穴５内の水は滞留することなく、それゆえ、主穴５に刺した生花の生気を保持できる。補助穴１０も同様の効果がある。
【００３３】
また、収容穴８に入れた駒２を回転不能に保持する拘束手段１２が以下の通り設けてある。盤１には図５又は図７に示すように、高さ中間部の周囲に沿って凹溝１３を環状に形成してある。凹溝１３の一部（図中、３箇所）は収容穴８と通じる開口１４となる。収容穴８に入れた駒２は、その外周部が開口１４を経て凹溝１３に食み出しており、凹溝１３の周囲に駒止バンド３を巻いた場合に、食み出した部分が駒止バンド３に押されて、駒２が収容穴８の内周面に押し付けられて回転不能となる。また、拘束手段１２は、盤１と駒２を一体化し、駒２に刺した花を安定させる役割も果たす。
【００３４】
駒止バンド３は、伸縮性のあるものであれば充分であって、例えば合成や天然のゴムが挙げられる。駒止バンド３は、駒２の向きを使用者が決めた後に凹溝１３に嵌めて駒２を拘束したり、駒２の向きを再修正する際に引っ張って拘束を解除したり、駒２や盤１を洗う際に完全に外して使用するものである。従って、単なるワッカ１５ではなくて、ワッカ１５の一部から引っ張り部分１６を突出した形態であることが望ましい。なお、ワッカ状の駒止バンド３の一部を結んで引っ張り部分１６を形成してある。
【００３５】
重り４は図１に示すように円盤状で、盤１より一回り大きいもので、底面からビスを盤１に着脱可能にねじ込むために、抜穴１７をあけてある。材質としては、例えば陶器を用いる。図示しないが、盤１の底にはビスをねじ込む穴をあけてある。
【００３６】
生花整形器は花器の中に入れ水に漬けて使用するが、駒２、盤１、駒止バンド３、重り４に分解できるので、水垢等の汚れを除去しやすい。
【００３７】
本発明の生花整形器の第二例は図８に示すように、盤１に収容する駒２の数が４つであることを最大の特徴とする。駒２が同心円状に９０度ごとに間隔をあけて配置され、同様にして補助穴１０も中心部以外に同心円状に４個設けてある。また、駒２の中には図９に示すように、主穴５を上面の周囲からあけて、水平方向に近づけて花を生けられるようにしたものもある。
【００３８】
本発明の生花整形器の第三例は図１０に示すように、駒２の個数を３つとしてあるが、二つの収容穴８を通じる状態に形成してあることを最大の特徴とする。また、３つの収容穴８は同心円状に設けてあるが、通じている二つの収容穴８と、残りの一つの収容穴８との同心円状の距離を異ならせてある。なお、中心部以外に設ける補助穴１０も同心円状とはなっておらず、その個数も４個としてある。
【００３９】
上述した三つの実施例は華道の流派の違いを考慮したものである。
【００４０】
本発明の生花整形器の第四例は図１１〜図１３に示すように、重り４の着脱構造に特徴を有するもので、盤１の上から重り４を被せて、駒２や補助穴１０に干渉することなく盤１の外周部に重り４の上部を引っ掛け、重り４を盤１と一体化するために盤受バンド１８を重り４の下部の複数個所に緊張した状態で掛け渡して、その掛け渡した盤受バンド１８によって盤１の底面を支持する構造としたものである。具体的には重り４は、盤１より一回り大径の筒１９の上端部から環状の内鍔２０を内向きに突出し、内鍔２０で盤１の上面縁部に引っかける。また、筒１９の下端部から環状の外鍔２１を外向きに突出し、外鍔２１には、盤受バンド１８を掛ける切欠２２を複数（図中、４箇所）設けてあり、４つの切欠２２に通した１本の盤受バンド１８で盤１の底を二列状に支持してある。また、図示していないが、駒止バンド３の引っ張り部分１６を凹溝１３内に沿わせて収容できるので、外観上、引っ張り部分１６が表れず、体裁が良い。すなわち、重り４が化粧枠的役割をも果たすことから、盤１の周囲が覆われて凹溝１３も隠れ見栄えが良くなる。なお、盤１の底面は重り４の底面よりも僅かに下方に突出していてもよく、この場合には同等の体裁が得られるだけでなく、盤１の底面の導通路１１への水の流入効果が十分得られる。また、盤受バンド１８を用いるので、ネジ止めするよりも盤１が傷みにくく、しかも重り４の着脱作業が迅速に行える。なお、盤１が水中でも安定する重量物の場合には、重り４は盤１を安定させるという重り本来の役割が不要となって化粧枠としての役割を果たすことになる。従って、このような場合は、重り４というよりも化粧枠と言う方が適切である。
【００４１】
本発明の生花整形器の第五例は図１４〜図２０に示すように、収容穴８を一つ盤１の上面に大きく形成し、収容穴８に対して複数（九個）の駒２を出し入れ（抜き差し）可能に挿入し、収容穴８内での駒２の向きを段階的に変更な形状に駒２と収容穴８を形成したものである。
【００４２】
収容穴８は平面視正方形としてある。一方、駒２は収容穴８の約１／９の大きさの平面視正方形のブロックである。全ての駒２が同一形状なので、収容穴８を縦横に九等分した箇所のうち、任意の箇所に各駒２を配置することができ、収容穴８内での駒２の並べ方に多数の組み合わせが成立する。また、駒２が平面視正方形で、各駒２に割り当てられた収容穴８の空間も平面視正方形であるので、所定箇所に駒２を入れるだけで駒２の向きを固定できるし、同一箇所であっても９０度毎に駒２の向きを変更できる。
【００４３】
平面視正方形の収容穴８の四隅には図１６、図１９に示すように、凹溝１３と通じる開口１４を形成してある。収容穴８に挿入した全９つの駒２は正方形に並べることによって、収容穴８の四隅に相当する箇所の駒２が開口１４から凹溝１３に局部的に食み出す大きさとなっている。そして、凹溝１３の周囲に駒止バンド３を巻きつけることによって９つの駒２が一体化して収容穴８内でがたつくことがなくなると共に、駒２と盤１が駒止バンド３を介して一体化する。
【００４４】
また、盤１の収容穴８には、全ての駒２の配置箇所に、駒２の主穴５に通じる貫通穴９をあけ、盤１の底面に形成した溝状の導通路１１に貫通穴９を通じている。
【００４５】
駒２の主穴５の形状は図１７に示すように、下窄まりの長穴であっても良いし、図１８に示すように下窄まりの丸穴であっても良い。また、図１４に示すように下窄まりの長穴は、平面視して駒２の辺に対して平行に設けても良いし、駒２の辺に対して傾斜して設けても良い。長穴形状の場合、花を大きく傾けて活けることも、鉛直に立てて活けることも自由自在である。
【００４６】
本発明の生花整形器の第六例は図２１に示すように、平面視正方形の収容穴８に対して、平面視正方形と長方形の駒２を組み合わせて８つ収容することを特徴とする。また、駒２の中には、一つの駒２に同一形状の主穴５を複数あけたものや、非同一形状の主穴５を複数あけたものもある。さらに、大きさの異なる相似形の主穴５を、駒２全体の中に設けることによって、大きな穴には生花のメインとなる役枝を刺すものとし、小さな穴にはサブとなるあしらいを刺すものとしても良い。
【００４７】
本発明の生花整形器の第七例は図２２に示すように、平面視正方形の収容穴８に対して非同一形状の長方形の駒２を３つ組み合わせて収容することを特徴とする。真ん中の駒２の横幅を両側の駒の横幅よりも狭くしてある。
【００４８】
本発明の生花整形器の第八例は図２３に示すように、平面視正方形の収容穴８に対して同一形状の長方形の駒２を組み合わせて収容し、そのうちの一つの駒２のほぼ全長に亘って非常に長い長穴の主穴５をあけたことを特徴とする。
【００４９】
本発明の生花整形器の第九例は図２４に示すように、収容穴８に４つの駒２を組み合わせて収容し、一つの主穴５を複数の駒２に跨って形成したことを特徴とする。
【００５０】
本発明の生花整形器の第十例は図２５に示すように、収容穴８に２つの駒２を組み合わせて収容することを特徴とする。
【００５１】
本発明は上記例に限られない。例えば収容穴８の形状は平面視正方形に限らず長方形であっても良いし、それ以外の形状であっても良い。また、盤１の形状も平面視円形に限らず、楕円、正方形などの他形状であっても良い。さらに、盤１に複数の収容穴８をあけ、そのうちの一つの収容穴８には複数の駒２を収容するものとし、他の収容穴８には一つの駒２を収容するものとしてもよい。
【００５２】
また、盤１の上面に一つの収容穴８をあけ、その収容穴８に対して一つの駒２を抜き差し可能に挿入するものであっても良い。例えば、盤１の形状が平面視円形や正多角形であっても、収容穴８の位置が盤１の中心から外れていたり、盤１に補助穴１０があけてあれば、収容穴８内の駒２の向きを変えることによって、盤１の向きを変えるとことなく全体としての花の向きを変えられるからである。
【図面の簡単な説明】
【００５３】
【図１】生花整形器の第一例を示す分解斜視図である。
【図２】生花整形器の第一例を示す組立て斜視図である。
【図３】（イ）〜（ニ）図は駒を示す平面図、正面図、底面図、Ａ−Ａ線断面図である。
【図４】（イ）〜（ニ）図は別の駒を示す平面図、正面図、底面図、左側面図である。
【図５】（イ）〜（ホ）図は盤を示す平面図、正面図、底面図、Ａ−Ａ線断面図、Ｂ−Ｂ線断面図である。
【図６】盤と駒との関係を示す断面図である。
【図７】拘束手段を示す断面図である。
【図８】生花整形器の第二例を示す平面図である。
【図９】（イ）〜（ニ）図は駒を示す平面図、正面図、底面図、左側面図である。
【図１０】生花整形器の第三例を示す平面図である。
【図１１】生花整形器の第四例を示す組立図である。
【図１２】盤、駒、重り、盤受バンドの関係を示す断面図である。
【図１３】盤受バンドと重りの関係を示す平面図である。
【図１４】生花整形器の第五例を示す組立て斜視図である。
【図１５】（イ）（ロ）図は第五例の平面図、左側面図である。
【図１６】（イ）（ロ）図は図１５のＢ−Ｂ線断面図、Ａ−Ａ線断面図である。
【図１７】（イ）〜（ニ）図は第五例中の駒の一例を示す平面図、正面図、底面図、Ａ−Ａ線断面図である。
【図１８】（イ）〜（ニ）図は第五例中の駒の別例を示す平面図、正面図、底面図、Ａ−Ａ線断面図である。
【図１９】生花整形器の第五例を示す分解斜視図である。
【図２０】（イ）〜（ホ）図は第五例の盤を示す平面図、底面図、正面図、Ａ−Ａ線断面図、Ｂ−Ｂ線断面図である。
【図２１】生花整形器の第六例を示す平面図である。
【図２２】生花整形器の第七例を示す平面図である。
【図２３】生花整形器の第八例を示す平面図である。
【図２４】生花整形器の第九例を示す平面図である。
【図２５】生花整形器の第十例を示す平面図である。
【符号の説明】
【００５４】
１  盤、  ２  駒、  ３  駒止バンド、  ４  重り（化粧枠）、  ５  主穴、  ６  指掛け溝、  ７  連絡路、  ８  収容穴、  ９  貫通穴、  １０  補助穴、  １１  導通路、  １２  拘束手段、  １３  凹溝、  １４  開口、  １５  ワッカ、  １６  引っ張り部分、  １７  抜穴、  １８  盤受バンド、  １９  筒、  ２０  内鍔、  ２１  外鍔、  ２２  切欠
【図１】
2007159853.tif 000003
【図２】
2007159853.tif 000004
【図３】
2007159853.tif 000005
【図４】
2007159853.tif 000006
【図５】
2007159853.tif 000007
【図６】
2007159853.tif 000008
【図７】
2007159853.tif 000009
【図８】
2007159853.tif 000010
【図９】
2007159853.tif 000011
【図１０】
2007159853.tif 000012
【図１１】
2007159853.tif 000013
【図１２】
2007159853.tif 000014
【図１３】
2007159853.tif 000015
【図１４】
2007159853.tif 000016
【図１５】
2007159853.tif 000017
【図１６】
2007159853.tif 000018
【図１７】
2007159853.tif 000019
【図１８】
2007159853.tif 000020
【図１９】
2007159853.tif 000021
【図２０】
2007159853.tif 000022
【図２１】
2007159853.tif 000023
【図２２】
2007159853.tif 000024
【図２３】
2007159853.tif 000025
【図２４】
2007159853.tif 000026
【図２５】
2007159853.tif 000027